(57)【要約】【課題】台板とクリップ金具とを手際よく分別し、ごみの分別作業を容易に行うことができるクリップボードを提供する。【解決手段】取付孔（３、３）の形成された台板（２）に、書類や紙類の一端辺を挟持するクリップ金具（４）が、前記取付孔に挿通される取付ピン（５、５）によって取り付けられたクリップボード（１）において、前記台板の前記取付孔の周縁部に、前記取付孔の径方向に一つ以上の切れ目（６、６、・・・）を入れたことを特徴とする。【選択図】  図１
0003149469.tif 000002
【実用新案登録請求の範囲】
【請求項１】
取付孔の形成された台板に、書類や紙類の一端辺を挟持するクリップ金具が、前記取付孔に挿通される取付部材によって取り付けられたクリップボードにおいて、
前記台板の前記取付孔の周縁部に、前記取付孔の径方向に一つ以上の切れ目を入れたことを特徴とするクリップボード。
【請求項２】
前記切れ目が、前記台板の表面から裏面に貫通していることを特徴とする請求項１に記載のクリップボード。
【請求項３】
前記切れ目が、切り屑が発生しないようにせん断することによって形成されていることを特徴とする請求項１に記載のクリップボード。
【請求項４】
前記クリップ金具は、前記台板上に取り付けられる取付板を有し、前記取付板に前記台板の前記取付孔に対応して貫通孔が設けられており、
前記取付部材は、軸部とこの軸部の一端に形成された頭部とを有する取付ピンであり、前記取付ピンが、前記貫通孔及び前記取付孔に挿通され、前記取付板の表面側に位置する前記頭部が、前記貫通孔の周縁部に係止されており、前記台板の裏面側に突き出た前記軸部の他端が、リベット締めされることによって前記取付孔の周縁部に係止されていることを特徴とする請求項１〜３のいずれか一項に記載のクリップボード。
【考案の詳細な説明】
【技術分野】
【０００１】
本考案は、書類や紙類を挟んで保持するためのクリップボードに関する。
【背景技術】
【０００２】
従来のクリップボードとして、書類や紙類（書類等）を載せる台板と、台板上に取り付けられ、載せた書類等を挟持する挟持金具とからなるものが知られている。
【０００３】
図４は、従来のクリップボードの一例を示す、要部の分解斜視図である。
このクリップボードは、図４に示されるように、通常長方形状の樹脂板又はボール紙で造った台板１１の一側辺に沿って、台板１１上に取り付けられる取付板１４１と、取付板１４１に取付けたばね（図示せず）によって挟持力を備えたクリップ１４２とからなる、例えば金属製クリップ金具１４が取り付けられているものであり、台板１１上に置いた書類等の一端辺を取付板１４１とクリップ１４２との間に挟持させて取付板１４１側へ常時付勢されるばねの付勢力によって、書類等を台板１１上に固定させて使用することができる。
【考案の概要】
【考案が解決しようとする課題】
【０００４】
従来のクリップボードでは、クリップ金具１４を台板１１に取り付けるピン１２、１２は、取付板１４１の貫通孔１４３、１４３及び台板１１に設けられた取付孔１１２、１１２に挿通され、台板１１及び取付板１４１から突き出た両端がリベット締めされることによって、抜けないように固定される。一般に、台板１１とクリップ金具１４とは異種材料でつくられた場合、廃棄処分をする時、電動工具を用いてもクリップ金具１４を台板１１から容易に取り外すことはできず、台板１１とクリップ金具１４とを分別することができないといった問題点があった。
【０００５】
本考案は、かかる問題点に鑑みてなされたものであって、台板とクリップ金具とを手際よく分別し、ごみの分別作業を容易に行うことができるクリップボードを提供することを目的とする。
【課題を解決するための手段】
【０００６】
上記の課題を解決するために、本考案は、取付孔の形成された台板に、書類や紙類の一端辺を挟持するクリップ金具が、前記取付孔に挿通される取付部材によって取り付けられたクリップボードにおいて、前記台板の前記取付孔の周縁部に、前記取付孔の径方向に一つ以上の切れ目を入れたことを特徴とするクリップボードを提供する。
【０００７】
前記クリップボードにおいては、前記切れ目は、前記台板の表面から裏面に貫通していることが好ましい。
【０００８】
前記クリップボードにおいては、前記切れ目は、切り屑が発生しないようにせん断することによって形成されていることが好ましい。
【０００９】
前記クリップボードにおいては、前記クリップ金具は、前記台板上に取り付けられる取付板を有し、前記取付板に前記台板の前記取付孔に対応して貫通孔が設けられており、前記取付部材は、軸部とこの軸部の一端に形成された頭部とを有する取付ピンであり、前記取付ピンが、前記貫通孔及び前記取付孔に挿通され、前記取付板の表面側に位置する前記頭部が、前記貫通孔の周縁部に係止されており、前記台板の裏面側に突き出た前記軸部の他端が、リベット締めされることによって前記取付孔の周縁部に係止されていることが好ましい。
【考案の効果】
【００１０】
本考案のクリップボードによれば、台板の取付孔の周縁部に、取付孔の径方向に一つ以上の切れ目を入れているので、例えばドライバーなどの工具を使って取付ピンを取り外すことが簡単になり、クリップ金具を台板から簡単に分離することができ、台板及びクリップ金具を容易に分別して廃棄等するのに便利である。
【図面の簡単な説明】
【００１１】
【図１】本考案の一実施形態のクリップボードを示す、要部の分解斜視図である。
【図２】取付ピンが貫通孔及び取付孔の周縁部に係止された状態を示す、拡大断面図である。
【図３】工具を用いて取付ピンを取り外す際の斜視図である。
【図４】従来のクリップボードの一例を示す、要部の分解斜視図である。
【考案を実施するための形態】
【００１２】
以下、本考案の一実施形態について、詳細に説明する。
図１は、本考案の一実施形態のクリップボードを示す、要部の分解斜視図である。
また、図２は、取付ピンが貫通孔及び取付孔の周縁部に係止された状態を示す、拡大断面図である。
図１、２において、符号１は、本考案の一実施形態のクリップボードであり、このクリップボード１は、書類等を載せる台板２及び前記書類等の一端辺を挟持するクリップ金具４を備えている。
【００１３】
台板２は、クリップ金具４側の表面２１及びこの表面２１と背中合わせの裏面２２を有し、台板２の一端辺に表面２１側から裏面２２側へ延伸して貫通する取付孔３、３が設けられている。
クリップ金具４は、台板２の一端辺に取り付けられる取付板４１及び取付板４１に取り付けられたばね（図示せず）によって挟持力を備えたクリップ４２とからなる。取付板４１には、台板２の取付孔３、３に対応して貫通孔４１１、４１１が設けられている。
【００１４】
台板２は、取付孔３、３の周りに、取付孔３、３の径方向に１つ以上の切れ目６、６、・・・が入れられている。本実施形態では、一つの取付孔３に対して、三つの切れ目６が設けられているが、これに限ることはなく、たとえば、２つ又は４つでもよいことはいうまでもない。
また、切れ目６は、台板２の表面２１側から裏面２２側に貫通する切れ目でもよく、あるいは、切り屑が発生しないようにせん断することによって形成された切れ目でもよい。切れ目６が、台板２の表面２１側から裏面２２側に貫通している場合、工具による取付孔３へのえぐり作業が簡単になる効果がある。また、切れ目６が、切り屑が発生しないようにせん断することによって形成されている場合は、工具による取付孔３へのえぐり作業が簡単になる効果があると共に、台板２の強度（特に取付孔３の周縁部付近の強度）がほぼ低下しないので、クリップ金具４の台板２への取付強度を高く保つことができる。
【００１５】
２本の取付ピン５、５は、それぞれの軸部５０、５０の一端に頭部５１、５１が付いたものである。取付ピン５、５は、取付板４１の貫通孔４１１、４１１及び台板２の取付孔３、３に挿通され、、頭部５１、５１が、取付板４１、４１の表面側に残り貫通孔４１１、４１１の周縁部に係止されると共に、軸部５０、５０の他端が、台板２、２の裏面２２側に突き出て、さらに、リベット締めされることにより、取付孔３、３の周縁部に係止される。以上により、台板２上に載置した書類等の一端辺を取付板４１とクリップ４２との間に挟持させて取付板４１側へ常時付勢されるばねの付勢力によって、書類等を台板１１上に固定させて使用することができる。
【００１６】
図３は、工具を用いて取付ピン５、５を取り外す際の斜視図である。
図３において、台板２の取付孔３、３の周りに取付孔３、３の径方向に切れ目６、６、・・・を入れているので、例えばドライバーなどの工具を使って取付孔３、３から取付ピン５、５をえぐるか、取付孔３、３を破壊して、取付ピン５、５を台板２から取り外すことができる。これによって、クリップ金具４と台板２の分離作業が簡単になる。
【００１７】
その結果、クリップ金具４を台板２から簡単に分離することができるので、廃棄処分をするとき、台板２とクリップ金具４とは異種材料でつくられた場合は、台板２とクリップ金具２とを容易に分別することができ、ごみの分別作業を容易に行うことができる。
【産業上の利用可能性】
【００１８】
本考案のクリップボードは、台板とクリップ金具とが異種材料でつくられたクリップボードに有用である。
【符号の説明】
【００１９】
１  クリップボード
２  台板
３  取付孔
４  クリップ金具
５  取付ピン
６  切れ目
７  工具
２１  表面
２２  裏面
４１  取付板
４２  クリップ
５０  軸部
５１  頭部
４１１  貫通孔
【図１】
0003149469.tif 000003
【図２】
0003149469.tif 000004
【図３】
0003149469.tif 000005
【図４】
0003149469.tif 000006